(57)【特許請求の範囲】
【請求項１】
着用時に着用者の腹側を覆う前身頃と、背側を覆う後身頃と、これら前後身頃の間に位置する股下領域とを有してなり、液透過性のトップシートと、液不透過性かつ透湿性のバックシートと、これら両シートの間に配置された吸収体とを備えた使いすておむつにおいて、前記使いすておむつの前身頃及び後身頃の長手方向両端縁の胴周り領域には、前記トップシートと前記バックシートの間に通気性を有する伸縮弾性部材がおむつの幅方向に伸張された状態で配設されて接着剤により固定されており、前記接着剤は、前記伸縮弾性部材と前記バックシートとの間には伸縮弾性部材の長さ方向に一定間隔で設けられており、前記伸縮弾性部材と前記トップシートとの間には伸縮弾性部材の幅方向に一定間隔で設けられていることを特徴とする使いすておむつ。
【請求項２】
前記伸縮弾性部材が、連続気泡を有する通気性ウレタンフォームであることを特徴とする請求項１に記載の使いすておむつ。
【発明の詳細な説明】
【０００１】
【発明の属する技術分野】
本発明は、後身頃のサイドフラップに、おむつを着用者に着用固定するための固定手段を有するいわゆるテープ型の使いすておむつに関する。さらに詳しくは、本発明は、適度なフィット感を有し、蒸れを軽減した着用感に優れた使い捨ておむつに関するものである。
【０００２】
【従来の技術】
使いすておむつは、特公昭５２−４０２６７号公報に開示されている展開型のおむつのように、液透過性のトップシートと液不透過性のバックシートと、これら両シート間に配置された吸収体を有しており、着用時に排泄された尿等の排泄物を液透過性のトップシートを介して吸収体にて保持し、液不透過性のバックシートにより、排泄物が吸収性着用物品の外に漏れ出すことを防ぐものとして用いられ、その用途に応じて使いすての吸収性物品として好適に使用できるように伸縮弾性部材や留め具を備える等、様々な形態のものが提案されている。
【０００３】
これらの使いすておむつは乳幼児を初めとして、成人失禁者まで、尿便の排泄に関して自己規制できない者を対象として、現在では広く使用されており、液透過性のトップシートと液不透過性のバックシートの間に吸収体を挟持したものを基本構造とし、これに伸縮弾性部材や粘着テープ等の留め具を備えたものからなるテープ型、あるいは予めパンツ型に成形されたものが広く用いられている。
【０００４】
【発明が解決しようとする課題】
これらの使いすておむつは、着用中のおむつからの尿便の漏れを減少させたり、着用中のおむつかぶれや、蒸れを軽減するための様々な改良が加えられて現在に至っており、最近では液不透過性のバックシートとして通気性のあるプラスチックフィルムを使用したり、更にはバックシートの上に更に不織布シートを積層し、着用中の肌触りを下着に近づけたものが考案され、特に乳幼児用の使いすておむつではこれが主流となっている。
【０００５】
また、着用者へのフィット感を高め、更には着用時のずれによる漏れを防止するため、前後の胴周り領域及び脚周り領域に伸縮弾性部材が伸張状態で配設されている。
【０００６】
前後の胴周り領域へ配設する伸縮弾性部材は、シート状部材を用いることが多い。これは胴周りのサイズが食事の前後や立ち座りなどにより大きく変動し、着用者の体に面で接している方がこの変動に追従しやすいことによる。しかしながら、胴周りへのフィット感を高めようとすると、使いすておむつの胴周り部分は着用者の体に圧着し、蒸れを引き起こしやすくなる。伸縮弾性部材としてシート状部材を用いた場合には、着用者の体に圧着する部分が多くなるため、より蒸れを引き起こしやすいという問題があった。
【０００７】
着用者が使いすておむつを快適に着用するには、おむつ内の湿度を低く保つことが重要である。そのため、最近ではバックシートに液体は透過しないが蒸気は透過させることのできる透湿性フィルムを用いるのが一般的になってきている。使いすておむつの前後胴周り領域に配置される伸縮弾性部材においても、通気性を有する伸縮弾性部材が用いられることが多い。
【０００８】
前記伸縮弾性部材は、トップシートとバックシートの間に配置されるが、その固定方法としては接着剤による固定が一般的である。この場合、接着剤は前記伸縮弾性部材の全域に渡って塗布されていることが多く、通気性を有する伸縮弾性部材を使用していても、接着剤により通気性が阻害されることがあった。
【００１０】
本発明は、前記従来の使いすておむつの有する問題点を改善し、適度なフィット感を与えるとともに蒸れによる不快感を減少させた使いすておむつを提供することを目的とするものである。
【００１１】
【課題を解決するための手段】
本発明は、着用時に着用者の腹側を覆う前身頃と、背側を覆う後身頃と、これら前後身頃の間に位置する股下領域とを有してなり、液透過性のトップシートと、液不透過性かつ透湿性のバックシートと、これら両シートの間に配置された吸収体とを備えた使いすておむつにおいて、前記使いすておむつの前身頃及び後身頃の長手方向両端縁の胴周り領域には、前記トップシートと前記バックシートの間に通気性を有する伸縮弾性部材がおむつの幅方向に伸張された状態で配設されて接着剤により固定されており、前記接着剤は、前記伸縮弾性部材と前記バックシートとの間には伸縮弾性部材の長さ方向に一定間隔で設けられており、前記伸縮弾性部材と前記トップシートとの間には伸縮弾性部材の幅方向に一定間隔で設けられていることを特徴とする使いすておむつに関する。
【００１２】
また、本発明は、前記伸縮弾性部材が、連続気泡を有する通気性ウレタンフォームであることを特徴とする使いすておむつに関する。
【００１３】
【発明の実施の形態】
本発明の使いすておむつは、前身頃及び後身頃の長手方向両端縁の胴周り領域のトップシートとバックシートの間に、通気性を有する伸縮弾性部材がおむつの幅方向に伸張された状態で配設されて接着剤により固定されており、前記接着剤は、前記伸縮弾性部材と前記バックシートとの間には伸縮弾性部材の長さ方向に一定間隔で設けられており、前記伸縮弾性部材と前記トップシートとの間には伸縮弾性部材の幅方向に一定間隔で設けられている。
【００１４】
このような構成の本発明の使いすておむつは、これを着用した場合には、おむつの前身頃及び後身頃両端縁に設けられた通気性の伸縮弾性部材により、装着中に優れたフィット感が得られると共に、蒸れが改善される。
【００１５】
また、上記胴周りの伸縮弾性部材として連続気泡を有する通気性ウレタンフォームを用いた場合、伸長状態で着用者の胴周りに圧着していても、素材が柔らかいため着用者の肌への付加が小さく跡がつきにくい。また、通気性ウレタンフォームはおむつの厚み方向に対しても通気性を有するため、たとえ着用者の胴周りに対して幅方向に連続で接していても、おむつ内部の蒸気を縦方向にも逃がすことができ、より着用者への蒸れによる不快感を軽減できる。
【００１６】
本発明において、胴周り領域へ配設される伸縮弾性部材はトップシートおよびバックシートへ接着剤により固定される。接着剤の塗布方法は特に限定されないが、前記伸縮弾性部材と前記バックシートとの間には伸縮弾性部材の長さ方向に一定間隔で設けられており、前記伸縮弾性部材と前記トップシートとの間には伸縮弾性部材の幅方向に一定間隔で設けられている。本発明で用いられる伸縮弾性部材は通気性を有するが、トップシート及びバックシートへの固定のために伸縮弾性部材の両側全面に接着剤を設けると、伸縮弾性部材のもつ通気性が阻害され、伸縮弾性部材による肌への圧着とも相俟って蒸れやすくなり、着用者へ不快感を与えてしまう。そこで、伸縮弾性部材とトップシート及びバックシートとを固定する接着領域において、前記伸縮弾性部材と前記トップシートとの間に伸縮弾性部材の幅方向に一定間隔で接着剤を設けることにより、接着剤による通気性阻害を少なくし、着用者とおむつの間に溜まった蒸気を伸縮弾性部材を通して逃がしやすくし、蒸れを軽減することができるようになる。
【００１７】
また、前記伸縮弾性部材と前記バックシートとの間には伸縮弾性部材の長さ方向に一定間隔で接着剤が設けられている。前記伸縮弾性部材と前記バックシートとの間の接着剤塗布パターンを前記伸縮弾性部材と前記トップシートとの間の接着剤塗布パターンと同じにすると、伸縮弾性部材を伸長時に厚薄差がでやすく、表面の凹凸感が着用者に不快感を与えてしまう。そこで、前記伸縮弾性部材と前記バックシートとの間の塗布パターンを前記伸縮弾性部材と前記トップシートとの間の塗布パターンと変え、伸縮弾性部材の両面の接着量ムラを少なくすることで伸長時の厚薄差を抑えるものである。
【００１８】
【実施例】
以下に図面を参照して、本発明の使いすておむつを詳細に説明するが、本発明はこれらにより何等制限されるものではない。
図１は、本発明の使いすておむつをトップシート側から見た、一部切り欠き平面展開図である。
図１において、使いすておむつ１は、着用時に着用者の腹側を覆う前身頃２と、背中側を覆う後身頃４と、前身頃２と後身頃４の間に位置する股下部３とからなり、液透過性のトップシート５と、液不透過性かつ透湿性のバックシート６と、これら両シートの間に配置された吸収体７とから基本的に構成されている。
また、バックシート７の外側面にはバックシート７を覆って最外層シート８が配置されており、さらに、おむつ１の長手方向両側縁からトップシート５の両側縁にかけてサイドシート９が配置され、サイドシート９のおむつの内側に位置する両側縁部には伸縮弾性部材１１が伸張状態で配置されて一対の立体ギャザー１０が形成されている。
また、吸収体７の両側縁にはトップシート５とバックシート６との間に左右一対の脚周り伸縮弾性部材１２が配置されており、さらに、前身頃と後身頃の長手方向両端縁には胴周り伸縮弾性部材１３がトップシート５とバックシート６の間に挟持される形で配置されている。
また、後身頃４の両側縁には、接着固定手段を有する一対のファスニングテープ１４が配置され、前身頃２の最外層シート８面にはターゲットテープ１５が配置されている。
【００１９】
図２は、図１に示した使いすておむつ１をＡ−Ａ’線に沿って切断した状態を示す横断面図である。
図２において、トップシート５と胴周り伸縮弾性部材１３は接着剤１６ａにより一定間隔で接合されており、また、バックシート６と伸縮弾性部材１３は接着剤１６ｂにより接合されており、さらに、バックシート６と最外層シート８は接着剤１６ｃにより間欠的に接合されている。
また、この場合、胴周り伸縮弾性部材１３は、おむつがバックシート６側に湾曲するように伸長状態で配置されている。
【００２０】
図３は、図２に示した使いすておむつ１をＢ−Ｂ’線に沿って切断した状態を示す断面図である。
図３において、胴周り伸縮弾性部材とバックシートを接着する接着剤１６ｂが、胴周り伸縮弾性部材の長さ方向に一定間隔で設けられている。
【００２１】
図４は、図２に示した使いすておむつ１をＣ−Ｃ’線に沿って切断した状態を示す断面図である。
図４において、胴周り伸縮弾性部材とトップシートを接着する接着剤１６ａが、胴周り伸縮弾性部材の幅方向に一定間隔で設けられている。
【００２２】
本発明において、トップシート５としては、ポリエチレン、ポリプロピレン、ポリエステル、その他の熱可塑性樹脂を原料とした合成繊維からなる液体透過性不織布を用いることができる。
【００２３】
バックシート６としては、液体不透過性のポリエチレンシートが用いられ、好ましくは微孔を設けたポリエチレンシート、あるいは熱可塑性樹脂にフィラーを加えて延伸した液体不透過性シートを用いて透湿性を付与すると、蒸れが改善されるためより快適である。
【００２４】
最外層シート８としては、ポリエチレン、ポリプロピレン、ポリエステル、その他の熱可塑性樹脂を原料とした合成繊維からなる液体透過性不織布を用いることが可能である。
【００２５】
サイドシート９としては、ポリエチレン、ポリプロピレン、ポリエステル、その他の熱可塑性樹脂を原料とした合成繊維からなる液体透過性不織布を用いることが可能である。
【００２６】
吸収体８は、本発明の目的を達成する範囲で任意の形状とすることが可能であるが、フラッフパルプを主材に高吸収性ポリマーを併用したものが好ましく、その他に吸収紙単独、又は熱融着繊維等の混合物や積層物が用いられる。
また、全体をティシュで包み込んだ積層構造とすることが好ましい。
【００２７】
立体ギャザー伸縮弾性部材１１及び脚周り伸縮弾性部材１２は、ウレタン糸、糸ゴム等の伸縮弾性体であって、それぞれ伸長状態で配置され、ホットメルト接着剤により吸収性物品の長手方向の全長より短い長さで所定の領域に接着固定される。
【００２８】
胴周り伸縮弾性部材１３は、ウレタンフィルム、ウレタンフォーム等の伸縮弾性体であって、複数本のウレタン糸、糸ゴム等を通気性シートに伸長状態で固定したものを用いることができる。特に、ウレタンフォームは素材が柔らかく、厚みがあるため、おむつ内部の蒸気を縦方向に逃がしやすいため、より好ましく用いられる。
【００２９】
ファスニングテープ１４は、おむつと着脱可能な、粘着剤層あるいは面ファスナー等からなる締結手段が形成される。
締結手段が粘着剤層により形成される場合は、ゴム系粘着剤、シリコーン系粘着剤、シリコーン合成ゴム系粘着剤、アクリル系粘着剤、シリコーン含有アクリル系粘着剤、及び、シリコーン系粘着剤等、従来のファスニングテープや廃棄用テープに用いられる粘着剤と同等のものを用いることができる。
【００３０】
また、締結手段が面ファスナーにより形成される場合は(登録商標；マジックテープ：ベルクロ社製)、(登録商標クイックロン；ＹＫＫ社製)、(登録商標マジクロス；カネボウベルタッチ社製)等、鍵状やキノコ形状などの凸状のフック部材が多数付設されてなるシート等の公知のものを特に制限なく用いることができる。
【００３１】
【発明の効果】
本発明の使いすておむつは、装着中のフィット感に優れ、おむつ内の汗や尿による蒸れを軽減することができるため、より快適な着用感を得ることが可能になる。
【図面の簡単な説明】
【図１】本発明の使いすておむつの一部切り欠き平面展開図。
【図２】図１の使いすておむつをＡ−Ａ’線に沿って切断した状態を示す横断面図。
【図３】図２の使いすておむつをＢ−Ｂ’線に沿って切断した状態を示す断面図。
【図４】図２の使いすておむつをＣ−Ｃ’線に沿って切断した状態を示す断面図。
【符号の説明】
１：使いすておむつ
２：前身頃
３：股下部
４：後身頃
５：トップシート
６：バックシート
７：吸収体
８：最外層シート
９：サイドシート
１０：立体ギャザー
１１：立体ギャザー伸縮弾性部材
１２：脚周り伸縮弾性部材
１３：胴周り伸縮弾性部材
１４：ファスニングテープ
１５：ターゲットテープ
１６ａ，１６ｂ，１６ｃ：接着剤
【図１】
0003941533.tif 000002
【図２】
0003941533.tif 000003
【図３】
0003941533.tif 000004
【図４】
0003941533.tif 000005